(57)【要約】【課題】著作物利用者の意思も尊重しながら、著作権者や出版社などの利益を保護することが可能な著作権情報管理装置を提供することを目的とする。【解決手段】著作権情報管理装置１０は、著作物に係る情報と著作権料とが対応付けられて格納されている著作物データベースを備え、著作物を特定する情報を端末装置２０から取得した場合に、特定された著作物の著作権料を著作物データベースから取得し、端末装置２０へ通知する。また、端末装置２０から該著作権料を支払う旨の情報を取得した場合に、該著作物に係る課金処理を行う。【選択図】　図１
2004030456.tif 000002
【特許請求の範囲】
【請求項１】
著作物に係る情報と著作権料とが対応付けられて格納されているデータベースと、
著作物を特定する情報を取得した場合に、特定された著作物の著作権料を前記データベースから取得する著作権料取得手段と、
取得した著作権料を通知する通知手段と、
該著作権料を支払う旨の情報を取得した場合に、該著作物に係る課金処理を行う課金手段と
を具備する著作権情報管理装置。
【請求項２】
所定の料金体系に応じて、前記著作権料を更新する更新手段を備える請求項１に記載の著作権情報管理装置。
【請求項３】
前記更新手段は、著作権発生からの経過期間に応じて前記著作権料を更新することを特徴とする請求項２に記載の著作権情報管理装置。
【請求項４】
前記更新手段は、該著作権者に支払われた著作権料の総額に応じて前記著作権料を更新することを特徴とする請求項２に記載の著作権情報管理装置。
【請求項５】
前記著作権料は、著作物の利用者の属性に応じて異なることを特徴とする請求項１〜請求項４のいずれかに記載の著作権情報管理装置。
【発明の詳細な説明】
【０００１】
【発明の属する技術分野】
本発明は、著作権情報管理装置に関する。
【０００２】
【従来の技術】
現在、図書館に所蔵される書籍などの著作物は、無料で利用者に対して貸し出されている。
【０００３】
【発明が解決しようとする課題】
しかしながら、近年になって、図書館で行われている無料の書籍貸し出しは、無料の貸し本屋と変わらないとの論争が起こっている。
これは、本来であれば、書店において金銭を払って購入しなければならない書籍を図書館では無料で貸し出ししているため、無料貸し出しを行った分の利益を作家や出版社が失っているとの観点に基づくものである。
この論争によれば、作家や出版社が被る損害は、対象となる著作物の貸し出し回数が多くなればなるほど、大きいものとなる。
これでは、作家が良い作品を世に送り出したとしても、その分の見返りとしての利益を十分に得ることができない。
【０００４】
本発明はこのような事情に鑑みてなされたもので、著作物利用者の意思も尊重しながら、著作権者や出版社などの利益を保護することが可能な著作権情報管理装置を提供することを目的とする。
【０００５】
【課題を解決するための手段】
上記目的を達成するために、本発明は、著作物に係る情報と著作権料とが対応付けられて格納されているデータベースと、著作物を特定する情報を取得した場合に、特定された著作物の著作権料を前記データベースから取得する著作権料取得手段と、取得した著作権料を通知する通知手段と、該著作権料を支払う旨の情報を取得した場合に、該著作物に係る課金処理を行う課金手段とを具備する著作権情報管理装置を提供する。
【０００６】
この発明によれば、著作物を貸し出す際に、利用者の意思に応じて著作権料を徴収するので、利用者の意思を尊重しながら、著作権を保護し、作家や出版社が得るべき利益を保護することが可能となる。
【０００７】
また、上記記載の著作権情報管理装置は、所定の料金体系に応じて、前記著作権料を更新する更新手段を備えることを特徴とする。
【０００８】
この発明によれば、著作物の価値（利用者にとっての主観的価値）に応じた著作権料を利用者から徴収することが可能となる。
【０００９】
また、上記記載の著作権情報管理装置において、前記更新手段は、著作権発生からの経過期間に応じて前記著作権料を更新することを特徴とする。
【００１０】
この発明によれば、著作権発生からの経過期間に応じて著作権料を設定するので、例えば、出版されたばかりの書籍については、高い料金を設定することが可能となり、反対に出版から長い時間が経過している書籍などについては、当初に比べて安い料金を設定することが可能となる。
これにより、人気度や利用者の需要に応じた著作権料を徴収することが可能となる。
【００１１】
また、上記記載の著作権情報管理装置において、前記更新手段は、該著作権者に支払われた著作権料の総額に応じて前記著作権料を更新することを特徴とする。
【００１２】
この発明によれば、徴収した著作権料の総額に応じて著作権料を設定するので、どの著作物においても不公平なく、ほぼ同額の著作料を徴収することが可能となる。これにより、例えば、図書館などで取り扱う著作物に優劣をつけることなく、公平に著作権料を徴収することができる。
【００１３】
また、上記記載の著作権情報管理装置において、前記著作権料は、著作物の利用者の属性に応じて異なることを特徴とする。
【００１４】
このように、著作物の利用者の属性に応じて著作権料を設定するので、例えば、学生などのように勉学に励むような利用者については、低額で書籍を貸し出すことが可能となる。これにより、従来の図書館の良さを維持しながら、作家や出版社などの利益を保護することが可能となる。
【００１５】
【発明の実施の形態】
以下、図面を参照し、本発明の一実施形態について説明する。
図１は本発明の一実施形態に係る著作権情報管理システムの構成を示す図である。
同図において、符号１０はサーバコンピュータを用いた本発明の一実施形態に係る著作権情報管理装置あり、ＷＡＮ（Ｗｉｄｅ　Ａｒｅａ　Ｎｅｔｗｏｒｋ）やＬＡＮ（Ｌｏｃａｌ　Ａｒｅａ　Ｎｅｔｗｏｒｋ）などの通信ネットワーク３０に接続されている。
符号２０は、図書館２００に設置されている端末装置であり、書籍やＣＤ（Ｃｏｍｐａｃｔ　Ｄｉｓｃ）の貸出、返却管理を行うのに使用され、著作権情報管理装置１０と同様に、通信ネットワーク３０に接続されている。
【００１６】
なお、図１には、図書館２００に設置されている端末装置を１つしか示していないが、著作権情報管理装置１０は、複数の図書館に設置されている端末装置と通信ネットワーク３０を介して接続されている。また、各端末装置には、個々の端末装置を個別に特定できるように識別番号が割り当てられており、端末装置が著作権情報管理装置１０へアクセスする際に、その端末装置に割り当てられたシリアルナンバーが当該システムへと送信される設定となっている。これにより、著作権情報管理装置１０は、どの端末装置からアクセスされているかを速やかに認識することができる。
【００１７】
次に、著作権情報管理装置１０の構成について図２を参照して説明する。
同図に示すように、本実施形態に係る著作権情報管理装置１０は、制御部１１、通信部１２、記憶装置１３を備えている。また、上記各部、各装置は互いに共通バス１４を介してデータを送受する。
【００１８】
上記制御部１１は、ＣＰＵ（Ｃｅｎｔｒａｌ　Ｐｒｏｃｅｓｓｉｎｇ　Ｕｎｉｔ）１１１、ＲＯＭ（Ｒｅａｄ　Ｏｎｌｙ　Ｍｅｍｏｒｙ）１１２及びＲＡＭ（Ｒａｎｄｏｍ　Ａｃｃｅｓｓ　Ｍｅｍｏｒｙ）１１３を備えている。
ＣＰＵ１１１は、ＲＯＭ１１２に記憶されているプログラムや、ＲＡＭ１１３にロードされたプログラムなどに従って、各種の処理、たとえば、著作権料抽出処理や、課金処理、著作物データベース１３１の更新処理などを行う。
【００１９】
ＲＯＭ１１２は、パーソナルコンピュータとしての基本的な動作を制御するプログラムやパラメータなどが記憶された読み取り専用メモリである。
ＲＡＭ１１３は、ＣＰＵ１１１が各種の処理を行う上で必要なプログラムやデータを記憶するメモリであり、記憶内容を変更することも可能である。
【００２０】
また、記憶装置１３は、高速にアクセスできるとともに大容量の記憶容量を有するハードディスクなどの記録媒体である。この記憶装置１３には、各種プログラムが格納されているプログラム格納部と、各種データが格納されるデータベース部に区分される。
上記プログラム部（図示略）には、ＯＳ（Ｏｐｅｒａｔｉｎｇ　Ｓｙｓｔｅｍ）や、作業者がメンテナンスに使用するプログラムなどの各種プログラムやデータが記憶されている。また、著作権料管理に係る各種処理プログラムや、課金に係る各種処理プログラムも記憶装置１３のプログラム部に格納されている。
ＣＰＵ１１１は、上述した各種プログラムをＲＡＭ１１３上で実行することにより、後述するような各種処理（図８、図９参照）を実現する。
【００２１】
また、データベース部には、著作物データベース１３１、各著作物に関する課金情報が格納されている課金データベース１３２が格納されている。
【００２２】
図３に、著作物データベース１３１に格納されている情報の一例を示す。図３に示すように、著作物データベース１３１には、著作物を特定するための著作物識別情報に対応付けて、当該著作物（書籍）の名称、著作者、分類、著作権料及び著作権発生日などが記録されている。
なお、上記著作権料に代わって、著作物の定価料率を記録するようにしても良い。
【００２３】
また、図４に、課金データベース１３２に格納されている情報の一例を示す。図４に示すように、課金データベース１３２には、各著作物を特定するための著作物識別情報毎に、著作権料を支払った利用者を特定するための利用者識別情報、支払い金額（利用者が支払った著作権料）、当該著作物の貸出日、著作権料の支払い方法（たとえば、口座振替、クレジットカード支払いなど）、決済日、支払い累計額などがファイルとして記録されている。なお、本実施形態では、著作物識別情報で特定される各ファイルを課金ファイル４００と称する。
なお、支払い累計額は、所定期間（たとえば、決済日から次の決済日までの期間）において、当該著作物に対して支払われる著作権料の総額である。
【００２４】
次に、端末装置２０の構成について図５を参照して説明する。
同図に示すように、本実施形態に係る端末装置２０は、制御部２１、記憶装置２２、通信部２３、スキャナ部２４、入力部２５、表示部２６、及びプリンタ２７を備えている。また、上記各部、各装置は互いに共通バス２８を介してデータを送受する。
【００２５】
上記制御部２１は、ＣＰＵ（Ｃｅｎｔｒａｌ　Ｐｒｏｃｅｓｓｉｎｇ　Ｕｎｉｔ）２１１、ＲＯＭ（Ｒｅａｄ　Ｏｎｌｙ　Ｍｅｍｏｒｙ）２１２及びＲＡＭ（Ｒａｎｄｏｍ　Ａｃｃｅｓｓ　Ｍｅｍｏｒｙ）２１３を備えている。
ＣＰＵ２１１は、ＲＯＭ２１２に記憶されているプログラムや、ＲＡＭ２１３にロードされたプログラムなどに従って、各種の処理、たとえば、貸し出し管理処理や、利用者情報登録処理などを行う。
【００２６】
ＲＯＭ２１２は、パーソナルコンピュータとしての基本的な動作を制御するプログラムやパラメータなどが記憶された読み取り専用メモリである。
ＲＡＭ２１３は、ＣＰＵ２１１が各種の処理を行う上で必要なプログラムやデータを記憶するメモリであり、ＣＰＵ２１１は記憶内容を変更することができる。
【００２７】
また、記憶装置２２は、高速にアクセスできるとともに大容量の記憶容量を有するハードディスクなどの記録媒体である。この記憶装置１３には、各種プログラムが格納されているプログラム格納部と、各種データが格納されるデータベース部に区分される。
図示しないプログラム部には、ＯＳ（Ｏｐｅｒａｔｉｎｇ　Ｓｙｓｔｅｍ）や、作業者がメンテナンスに使用するプログラムなどの各種プログラムやデータが記憶されている。また、著作物の貸し出し管理に係る各種処理プログラムなども記憶装置２２のプログラム部に格納されている。
ＣＰＵ２１１は、上述した各種プログラムをＲＡＭ２１２上で実行することにより、後述するような各種処理（図８、図９参照）を実現する。
【００２８】
また、データベース部には、図書館２００が所蔵する書籍やＣＤ、ＤＶＤなどの著作物の貸し出し管理に関する情報が登録されている貸し出しデータベース２２１、利用者情報が登録されている利用者データベース２２２が格納されている。
【００２９】
図６に、貸し出しデータベース２２１に格納されている情報の一例を示す。図６に示すように、書籍やＣＤ、ＤＶＤなどの著作物を特定するための著作物識別情報に対応付けて、貸し出した利用者を特定するための利用者識別情報、貸出日、返却予定日などの情報が記憶されている。
また、図７に、利用者データベース２２に格納されている情報の一例を示す。図７に示すように、利用者識別情報に対応付けて、利用者の氏名、性別、生年月日、住所、及び著作権料の支払い方法などの利用者情報が記憶されている。
【００３０】
スキャナ部２４は、利用者に予め付与されている利用者カード上に記載されたバーコードや、図書館２００が所蔵する書籍、ＣＤ、ＤＶＤなどに付加されたバーコードを読み取り、読み取ったデータを制御部２１へ供給する。
入力部２５は、キーボードやマウスから構成されており、表示部２６に表示された各種画面に文字入力を行う際に使用される。
なお、上述したマウスの代わりに、タブレット、タッチパネル、ジョイスティックなどのポインティングデバイスを用いることもできる。また、表示部１７の表面にタッチセンサを付加することにより、タッチパネルとしても良い。
表示部２６は、例えば液晶ディスプレイ、プラズマディスプレイなどで構成され、制御部２１からの表示指示に従って所定の情報表示を行う。
プリンタ２７は、制御部２１からの印字指示に従って、登録内容や、利用者情報などの印字を行うプリンタである。
【００３１】
次に、上記構成からなる本実施形態に係る著作権情報管理装置１０及び端末装置２０において行われる処理について図８及び図９を参照して説明する。
まず、図書館において、利用者は、借りたい著作物（たとえば、書籍）を貸し出しコーナーに持参し、持参した書籍とともに利用者カードを提出する。
ここで、利用者カードとは、利用者登録時において利用者に付与されるカードであり、このカードには当該利用者を特定するための利用者識別情報がバーコードとして記載されている。
【００３２】
貸し出しコーナーの担当者は、利用者から利用者カードを受け取り、利用者カードのバーコードをスキャナ部２４によって読み取ることにより、利用者識別情報を入力する。続いて、利用者が持参した書籍に付加されているバーコードをスキャナ部２４によって読み取ることにより、当該書籍を特定する著作物識別情報を入力する（図８のステップＳ１）。
【００３３】
係る入力操作が行われることにより、利用者識別情報と著作物識別情報とが制御部のＲＡＭ２１３に一時的に格納される（ステップＳ２）。
制御部２１は、上記情報に基づいて、図６に示した貸し出しデータベース２２１に貸し出し情報を登録する（ステップＳ３）。なお、貸出日としては本日の日付、返却予定日には予め設定されている日数を本日の日付に加算した日が登録される。
【００３４】
続いて、制御部２１は、貸し出しデータベース２２１への登録処理が終了すると、通信部２３を介して著作権情報管理装置１０へアクセスする。そして、著作権情報管理装置１０に対して、ステップＳ２において、ＲＡＭ２１３に格納した著作物識別情報を送信する（ステップＳ４）。
係る情報を受信した著作権管理装置１０の制御部１１は、受信した著作物識別情報で特定される著作物情報の著作権料を著作物データベース１３１から読み出し（ステップＳ５）、読み出したこの著作権料を通信部１２を介して端末装置２０へ送信する（ステップＳ６）。
【００３５】
係る処理が行われることにより、端末装置２０の制御部２１は著作権料を受信すると、この著作権料を表示部２６へ表示させる（ステップＳ７）。
続いて、端末装置２０を操作している貸し出しコーナーの担当者は、表示部２６に表示された著作権料を利用者に提示し、この著作権料を支払う意思があるか否かを確認する。
【００３６】
この結果、利用者に提示した著作権料を支払う意思があった場合には、担当者は、端末装置２０の入力部２５の所定のキーを操作することにより、著作権料を支払う意思がある旨を入力する（ステップＳ８）。
係る入力操作が行われると、端末装置２０の制御部２１は、ＲＡＭ２１３に格納されている当該利用者識別情報によって特定される利用者情報を利用者データベース２２２から読み出す（ステップＳ９）。
そして、この利用者情報のうち、課金に係る情報、すなわち著作権料の支払い方法と、利用者識別情報と、支払い金額（今回提示された著作権料）を通信部２３を介して著作権情報管理装置１０へ送信する（図９のステップＳ１０）。
【００３７】
係る情報を受信した著作権情報管理装置１０は、受信した上記情報に基づいて課金処理を実行する。
即ち、今回著作権料を支払う著作物に関する課金ファイル４００、即ち図８のステップＳ５において端末装置２０から受信した著作物識別情報で特定される課金ファイル４００（図４参照）を課金データベース１３２から読み出し（ステップＳ１１）、この課金ファイル４００に、先ほど受信した利用者識別情報と、支払い金額と、支払い方法とを登録するとともに、決済日、及び支払い累計額を登録する（ステップＳ１２）。そして、登録処理が終了すると、読み出したファイルを課金データベース１３２に格納する（ステップＳ１３）。
【００３８】
そして、制御部１１は、決済日に課金データベース１３２に格納されている課金ファイル４００を図示しない決済システムへ所定のネットワークを介して送信する。これにより、決済システムが当該課金情報に基づいて決済処理を行う。これにより、利用者が予め登録している決済方法によって、著作権料が著作権者の元に支払われることとなる。
なお、決済システムなどについては、周知技術であるのでここでは詳細な説明を省略する。
【００３９】
また、図８のステップＳ７において、著作権料を利用者に提示し、著作権料の支払い意思を確認するが、この際、利用者が著作権料を支払いたくないと望んだ場合には、著作権料を徴収することなく、書籍などの著作物を貸し出す。
以上、述べてきたように、本実施形態における著作権情報管理装置１０によれば、著作権料を支払う意思のない者からは著作権料を徴収せず、著作権料を支払う意思がある利用者からのみ著作権料を受け取る。
このように、著作物を貸し出す際に、利用者に対して著作権料の支払いの意思を確認するので、利用者の意思を尊重した形で著作権料の徴収を行うことができるとともに、著作権を保護し、作家や出版社が得るべき利益を保護することが可能となる。
【００４０】
なお、著作権情報管理装置１０の制御部１１は、所定のタイミングにおいて、所定の料金体系に基づいて、著作物データベース１３１に格納されている各著作物における著作権料を更新する。
なお、上記所定の料金体系とは、例えば、各書籍に対して支払われた著作権料の総額に応じて、著作権料を決定するような料金体系があげられる。
即ち、著作権者に対して支払われる著作権料（総額）が予め設定した所定の額に達した場合には、著作権料をただに設定したり、また、何段階かに分けて、著作権料の総額が各閾値に達するたびに、少しずつ著作権料を割引する。
【００４１】
また、上述したような著作権料の総額にかかわりなく、例えば、著作権発生からの経過期間に応じて著作権料を設定するようにしても良い。
例えば、出版されたばかりであり、著作権が発生したばかりの著作物については、著作権料を高く設定し、発行されてからの年月が経過するごとに徐々に著作権料を低く更新していき、著作権発生から所定期間（例えば３０年）経過した著作物については、著作権料をただに設定する。
【００４２】
また、上記実施形態では、利用者の属性に拘わらず、各著作物における著作権料を一律に設定していたが、これに代わって、利用者の属性に応じて著作権料をそれぞれ設定するようにしても良い。
たとえば、学生割引などを適用して、学生に対する著作権料を一般よりも安く設定するようにしても良い。
【００４３】
なお、上述した実施形態では、端末装置２０の操作者を貸し出しコーナーの担当者としたが、これに代わって、利用者自らが端末装置２０を操作するようにしても良い。
【００４４】
また、著作権料を支払う意思のある利用者が、提示された著作権料と異なる額の著作権料を支払いたいと望んだ場合、例えば、提示された金額よりも高い金額を支払いたいと望んだ場合には、利用者が望む著作権料を端末装置２０から入力し、入力した著作権料が当該利用者が登録している支払い方法によって引き落とされるような構成としても良い。なお、提示された著作権料よりも低い額を支払いたいと望んだ場合も同様である。
【００４５】
以上、この発明の実施形態を図面を参照して詳述してきたが、具体的な構成はこの実施形態に限られるものではなく、この発明の要旨を逸脱しない範囲の設計等も含まれる。
【００４６】
例えば、記憶装置１３、２２は、コンピュータ読み取り可能な記憶媒体であれば良く、例えば、半導体メモリや磁気ディスク等でもよく、また、光ディスク（ＣＤ−ＲＯＭ／Ｒ／ＲＷ、ＤＶＤ−ＲＯＭ、ＤＶＤ−Ｒ／ＲＷ、ＤＶＤ−ＲＡＭ等）、光磁気ディスク（ＭＯ，ＭＤ等）、磁気記憶媒体（ＨＤＤ、ＦＤ、磁気テープ等）、半導体メモリ（ＭＳ、ＳＤカード等のフラッシュメモリ等）などの可搬型記録媒体であってもよい。あるいはこれらの組み合わせによるコンピュータ読み取り、書き込み可能な記録媒体より構成されるものであっても良い。
【００４７】
【発明の効果】
以上説明したように、本発明の著作権情報管理装置によれば、著作物を貸し出す際に、利用者の意思に応じて著作権料を徴収するので、利用者の意思を尊重しながら、著作権を保護し、作家や出版社が得るべき利益を保護することが可能となる。
【００４８】
また、本発明の著作権情報管理装置は、所定の料金体系に応じて、著作権料を更新する更新手段を備えるので、著作物の価値に応じた著作権料を徴収することが可能となる。
【００４９】
また、本発明の著作権情報管理装置によれば、著作権発生からの経過期間に応じて前記著作権料を設定するので、例えば、出版されたばかりの書籍については、高い料金を設定することが可能となり、反対に出版から長い時間が経過している書籍などについては、当初に比べて安い料金が設定される。これにより、需要に応じた著作権料を書籍の利用者から徴収することが可能となる。
【００５０】
また、本発明の著作権情報管理装置によれば、徴収した著作権料の総額に応じて著作権料を設定するので、どの著作物においても不公平なく、同等の著作料を徴収することが可能となる。これにより、例えば、図書館などで取り扱う著作物に優劣をつけることなく、ほぼ同額の著作権料を取得することができる。
【００５１】
また、本発明の著作権情報管理装置によれば、著作物の利用者の属性に応じて著作権料を設定するので、例えば、学生などのように勉学に励むような利用者については、低額で書籍を貸し出すことが可能となるので、従来の図書館などの良さを維持しながら、著作権者や出版社などの利益を保護することができる。
【図面の簡単な説明】
【図１】本発明の一実施形態に係る著作権情報管理システムの構成を示すブロック図である。
【図２】本発明の一実施形態に係る著作権情報管理装置の構成を示す図である。
【図３】著作物データベース１３１に格納されている情報の一例を示す図である。
【図４】課金データベース１３２に格納されている情報の一例を示す図である。
【図５】本発明の一実施形態に係る端末装置の構成を示す図である。
【図６】貸し出しデータベース２２１に格納されている情報の一例を示す図である。
【図７】利用者データベース２２に格納されている情報の一例を示す図である。
【図８】本発明の一実施形態に係る携帯端末及び著作権情報管理装置の処理内容を示すタイミングチャートである。
【図９】本発明の一実施形態に係る携帯端末及び著作権情報管理装置の処理内容を示すタイミングチャートである。
【符号の説明】
１０　著作権情報管理装置
１１，２１　制御部
１２，２３　通信部
１３，２２　記憶装置
１４，２８　共通バス
２０　端末装置
２４　スキャナ部
２５　入力部
２６　表示部
２７　プリンタ
３０　通信ネットワーク
１１１，２１１　ＣＰＵ
１１２，２１２　ＲＯＭ
１１３，２１３　ＲＡＭ
１３１　著作物データベース
１３２　課金データベース
２２１　貸し出しデータベース
２２２　利用者データベース
【図１】
2004030456.tif 000003
【図２】
2004030456.tif 000004
【図３】
2004030456.tif 000005
【図４】
2004030456.tif 000006
【図５】
2004030456.tif 000007
【図６】
2004030456.tif 000008
【図７】
2004030456.tif 000009
【図８】
2004030456.tif 000010
【図９】
2004030456.tif 000011